【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
太陽熱を収集し貯蔵する太陽熱収集器と、
前記太陽熱収集器内に配置され、前記太陽熱によって水の沸騰温度よりも高い温度まで運転可能な固体の第１の蓄熱・伝熱材料と、
断熱かつ閉鎖された室とソーラー式調理レンジ／コンロの頂面をカバーするクックトップとを有するソーラー式調理レンジ／コンロと、
前記ソーラー式調理レンジ／コンロの断熱かつ閉鎖された室の内部に配置された固体の第２の蓄熱・伝熱材料であって、太陽熱が食品調理のために受け取られ貯蔵されるように前記ソーラー式調理レンジ／コンロが前記太陽熱収集器と熱的に接続された固体の第２の蓄熱・伝熱材料と、
前記閉鎖された室の内部に配置され、且つその内部に配置される調理器のために又太陽熱の調理器への輸送のために前記第２の蓄熱・伝熱材料の中に配置される一式の調理チャンバーと、
前記太陽熱収集器を前記第２の蓄熱・伝熱材料に熱的に接続する第３の熱輸送／伝熱媒体と、
断熱された蓋を有し、前記ソーラー式調理レンジ／コンロ内の前記調理チャンバー内に配置される一式の調理器と、
前記ソーラー式調理レンジ／コンロの内部に配置されバックアップのエネルギー源と電熱の貯蔵とを提供する電熱要素と、
を含む一式のソーラー式調理装置。
【請求項２】
前記太陽熱収集器は、
真空管式の太陽熱収集器、
複数の真空管式の太陽熱収集器、
複数のモジュール式の真空管式の太陽熱収集器、
一つの開口端を有する真空管式の太陽熱収集器、
二つの開口端を有する真空管式の太陽熱収集器、
前記ソーラー式調理レンジ／コンロの内部へと延在する一つの開口端を有する太陽熱収集器、及び、
前記ソーラー式調理レンジ／コンロの内部へと延在する二つの開口端を有する太陽熱収集器、
からなる群から選択された請求項１に記載のソーラー式調理装置。
【請求項３】
前記固体の第１の蓄熱・伝熱材料は、
固体の化学蓄熱材料、
鉱石、
金属、
砂、
土、
石英砂、
ＣａＯ、
固体の含水化学物質、
パラフィン、
泥炭、
黒鉛、
相変化材料、及び、
黒鉛を含むパラフィン（黒鉛とパラフィン）
からなる群から選択された請求項１に記載のソーラー式調理装置。
【請求項４】
前記固体の第２の蓄熱・伝熱材料は、
固体の化学蓄熱材料、
鉱石、
金属、
砂、
土、
石英砂、
ＣａＯ、
固体の含水化学物質、
パラフィン、
泥炭、
黒鉛、
相変化材料、
前記固体の第１の蓄熱・伝熱材料、及び、
黒鉛を含むパラフィン（黒鉛とパラフィン）
からなる群から選択された請求項１に記載のソーラー式調理装置。
【請求項５】
前記第３の熱輸送／伝熱媒体は、
前記太陽熱収集器の内壁、
前記ソーラー式調理レンジ／コンロの内壁、
熱チューブ、
伝導フィンつきの熱チューブ、
熱伝導体、
金属伝導体、
銅の伝導体、
アルミニウムの伝導体、
液体の熱輸送材料、
液体導管、
オイル、
調理油、
菜種油、
大豆油、
石油、
灯油、
高圧下の水、
前記固体の第１の蓄熱・伝熱材料、
前記第２の蓄熱・伝熱材料、及び、
ソーラー式調理レンジ／コンロ内の熱交換器、
からなる群から選択された請求項１に記載のソーラー式調理装置。
【請求項６】
前記ソーラー式調理器は、
前記第２の蓄熱・伝熱材料に接続された壁を有する調理器、
前記第３の熱輸送／伝熱媒体に接続された壁を有する調理器、
前記ソーラー式調理レンジ／コンロ内の前記調理チャンバーのサイズ及び形状と適合するように寸法付けされた調理器、
金属・ガラス・セラミック・プラスチック・合成材料・植物繊維及びステンレス鋼からなる群から選択された材料からなる調理器、
金属・紙・プラスチック・及びこれらの材料の任意の混成の組合せを含む群から選択された材料からなる袋、
ソーラー式調理のために食品を包み又は被覆するための膜／箔、
ソーラー式調理のために食品を包み又は被覆するために、金属・紙・及びプラスチックからなる群から選択された材料からなる膜／箔と、食品の蒸気調理のための穿孔されたバスケットとの組合せ、
食品を揚げ且つ液切りするためのワイヤメッシュを有するフライヤー、
食品をローストし且つ焼くために前記調理器の内壁の近くに食品シートをプレスするウィスカーネット、
食品の蒸し煮又は煮沸のために食品と水とが中に配置される中華鍋（ｗｏｋ）／ポット、
食品を揚げ、ソテーし又は焼き付けるために１又は２以上の小さいフライパンが調理器内で並行して保持される平鍋、
下部と上部とを有し、前記下部はソーラー式の前記調理チャンバーのサイズ及び形状と適合するように寸法付けされ、前記上部は断熱グレートコートを有する調理器、
二層の強化ガラス蓋を有する調理器、
ソーラー式の調理チャンバーのサイズ及び形状と適合するように寸法付けされた伝熱被覆／カバーを有する調理器、
ソーラー式の調理チャンバーの内部のサイズ及び形状と適合するように寸法付けされた断熱被覆／カバーを有する調理器、
ステンレス鋼からなる半球形の容器を含む調理器、及び、
ガラスからなる半球形の容器を含む調理器、
からなる群から選択された請求項１に記載のソーラー式調理装置。
【請求項７】
ソーラー式調理装置の複数の部分を配置し支持するための固定支持架台であって、
太陽熱収集器の太陽光に対する入射角の調整を可能にする構造、
周囲の太陽光を太陽熱収集器に合焦するような光反射体、及び
前記太陽熱収集器に垂直に固定され太陽光の入射角を表示する日時計、
からなる群から選択された構造を更に含む架台、
前記電熱要素のための測定表示デバイス、
前記電熱要素のための測定及び制御システム、
熱水チューブ、
安全上の理由のために前記真空管式の太陽熱収集器を保護する透明な保護カバー、
前記真空管式の太陽熱収集器を保護する透明なプラスチック製の保護マントル、及び、
前記調理器の外側に接続された第１の側と、前記ソーラー式調理レンジ／コンロのチャンバー壁に接続された第２の側と、を有する伝熱被覆／カバー、
からなる群から選択されたアクセサリを更に含む請求項１に記載のソーラー式調理装置。
【請求項８】
前記ソーラー式調理レンジ／コンロは、
前記調理レンジ／コンロを前記第３の熱輸送／伝熱媒体と接続するための構造、
熱交換器、
ポンプ、
上記閉鎖された室の表面上の断熱コーティング、
取り外し可能な断熱グレートコート、
前記ソーラー式調理レンジ／コンロの前記閉鎖された室の中での前記固体の第２の蓄熱・伝熱材料の呼吸と膨張のための構造、
前記太陽熱収集器から熱チューブを受け取るための受取用器具、
固体の蓄熱・伝熱材料を前記調理器から隔離するために伝熱材料によって囲まれたチャンバー、
モジュール式の標準の調理器を有するモジュール式の標準のチャンバー、
伝熱材料によって閉鎖され且つ第２の蓄熱・伝熱材料によって囲まれた扉つきのオーブン、及び、
標準のサイズを有する一式のモジュール式の調理チャンバー、
からなる群から選択されたアクセサリを更に含む請求項１に記載のソーラー式調理装置。
【請求項９】
前記閉鎖された室は、伝熱材料、金属、鋼、銅、合金、ステンレス鋼、アルミニウム合金、耐熱材、セラミック、コンクリート、れんが、及び、土、からなる群から選択された材料からなる請求項１に記載のソーラー式調理装置。
【請求項１０】
前記チャンバーは、
蓄熱・伝熱材料を前記調理器から隔離するための伝熱材料によって囲まれたチャンバー、
シリンダバケット形又は半球形の形状を有するチャンバー、
前記調理器のサイズ及び形状に適合するように固定された形状及びサイズを有するチャンバー、
一群の調理チャンバーであってその各調理チャンバーが標準のモジュール式のサイズ及び形状を有する一群の調理チャンバー、
取り外し可能な断熱カバーを有するチャンバー、
チャンバーを完全に充てんするための取り外し可能な断熱部分を有するチャンバー、及び、
ソーラー式調理装置が主に太陽エネルギーで運転され且つバックアップのエネルギー源として電力によっても運転されるソーラー式調理装置を構成するように、チャンバーの底部に電熱要素を有するチャンバー、
からなる群から選択された請求項１に記載のソーラー式調理装置。
【請求項１１】
前記各調理器が、
前記調理器のサイズ及び形状に適合する内部のサイズ及び形状と、前記調理チャンバーのサイズ及び形状に適合する外部のサイズ及び形状とを有し、したがって異なるサイズの複数の調理器が様々なサイズの前記モジュール式のチャンバーの内部での調理のために適用可能である伝熱被覆／カバー、及び、
前記調理器のサイズ及び形状に適合する内部のサイズ及び形状と、前記調理チャンバーのサイズ及び形状に適合する外部のサイズ及び形状とを有し、このため前記電熱要素が前記レンジ／コンロ内の第２の蓄熱材料の全てを加熱することなく前記調理器を加熱するように運転可能である伝熱被覆／カバー、
からなる群から選択された被覆／カバーを備えた一式の請求項１に記載のソーラー式調理装置。